(57)【要約】【課題】靴底に付いた病原菌を家庭に入る時などに、靴底の病原菌を殺菌し、かつ拡散を防ぐ足裏殺菌装置を提供することを目的とする。【解決手段】下箱１と、該下箱１に回転軸３ないしは案内溝で、回動ないしは上下動で変位する裏面に突起片７を備えた上箱２と、前記上箱２を前記下箱１に対し、所定の位置するための伸縮自在のスプリング１６と、前記下箱１の底部に着脱自在に所望方向に設置され、端部に噴霧装置５を備えた消毒液容器４と、該消毒液容器４の噴霧装置５に備えた押圧子５ａと、該押圧子５ａと前記上箱２の下面に設けた突起片７との間に、突起片７の上下動によってバネ１２を介して衝接して所望方向に変位する下箱１に設けた円弧状変動機構Ａとより成ることを特徴とする足裏殺菌装置。【選択図】図１
2009022561.tif 000002
【特許請求の範囲】
【請求項１】
下箱と、
該下箱に回転軸ないしは案内溝で、回動ないしは上下動で変位する裏面に突起片を備えた上箱と、
前記上箱を前記下箱に対し、所定の位置するための伸縮自在のスプリングと、
前記下箱の底部に着脱自在に所望方向に設置され、端部に噴霧装置を備えた消毒液容器と、
該消毒液容器の噴霧装置に備えた押圧子と、該押圧子と前記上箱の下面に設けた突起片との間に、突起片の上下動によってバネを介して衝接して所望方向に変位する下箱に設けた円弧状変動機構とより成ることを特徴とする足裏殺菌装置。
【請求項２】
円弧状変動機構は、突起片の衝接する上側には受圧部を、押圧子と当接する下側には押圧部とを備え、この受圧部と押圧部の間に円弧状の屈曲部を設けて、全体が筒状に形成され、かつ内部にバネを介して連続される多数のボール、単一の変形可能のコイルスプリングまたは可撓自在の合成樹脂などの可動体を移動自在に収納させて成ることを特徴とする請求項１記載の足裏殺菌装置。
【発明の詳細な説明】
【技術分野】
【０００１】
本発明は、靴底や足裏などを簡便に除菌又は殺菌できる足裏殺菌装置に関する。
【背景技術】
【０００２】
最近では、環境の変化、人、物の国際交流が活発化し、種々の伝染病、細菌ウイルスなどの新種の病気が多発している。うがい、手洗いなどの衛生管理は勿論のこと、予防管理で病原菌を身近に持ち込まないことが重要である。
【０００３】
しかし、外出先から帰宅した際に鳥や動物の糞にまみれたほこりを靴の底につけ、病原菌を室内に持ち込んでいるような状況である。公衆トイレ、病院又は畜産場や人の集まっている場所に行った場合、その靴底にはさまざまな病原菌をつけた状態で家庭や会社、病院、ファミリーレストランの厨房などに出入りし、その病原菌を持ち込んでいる。
【０００４】
このような病原菌を除去する装置として、足踏み押し板を踏み込み、テコの原理で殺菌剤を含有したエアゾール缶のノズルを押圧して、足裏とか履物の底を噴射させて殺菌する装置（例えば、特許文献１参照）が知られている。
【特許文献１】実用新案登録第３０９９７８４号公報
【発明の開示】
【発明が解決しようとする課題】
【０００５】
しかし乍ら、上記の特許文献では、エアゾール缶を立てて設置するため垂直方向の設置スペースが必要となる外、足のつま先の近傍から除菌剤などを噴霧するため、足裏に十分に除菌剤が付着しないという問題があった。更に、足踏み押し板に足を載せる構造を有しているが、その足を載せる動作が不安定であるという問題もあった。
【０００６】
本発明は、上記の課題を解決するためになされたものであり、靴底に付いた病原菌を家庭に入る時又は病院の出入、ファミリーレストランや厨房への出入りの時に、靴底の病原菌を殺菌し、かつ拡散を防ぐ足裏殺菌装置を提供することを目的とする。
【０００７】
しかも、足に掛かる体重を利用し、これを垂直方向の変位として利用し、この垂直方向の変位を自由自在に移動できる水平方向など好みの方向に変換できる押圧力変換自在手段を用いて、殺菌エアゾール缶のノズルを足裏方向に直接噴射させて歩行の途中、特に家に入る時、または病院の出入時、レストランとか厨房への出入時に靴底の病原菌を集中的に殺菌して消毒できるようにした足裏殺菌装置を提供することを目的とする。
【課題を解決するための手段】
【０００８】
本発明は、上述の目的を達成するため、以下の構成を備えるものである。
【０００９】
（１）下箱と、
該下箱に回転軸ないしは案内溝で、回動ないしは上下動で変位する裏面に突起片を備えた上箱と、
前記上箱を前記下箱に対し、所定の位置するための伸縮自在のスプリングと、
前記下箱の底部に着脱自在に所望方向に設置され、端部に噴霧装置を備えた消毒液容器と、
該消毒液容器の噴霧装置に備えた押圧子と、該押圧子と前記上箱の下面に設けた突起片との間に、突起片の上下動によってバネを介して衝接して所望方向に変位する下箱に設けた円弧状変動機構とより成ることを特徴とする足裏殺菌装置。
【００１０】
（２）円弧状変動機構は、突起片の衝接する上側には受圧部を、押圧子と当接する下側には押圧部とを備え、この受圧部と押圧部の間に円弧状の屈曲部を設けて、全体が筒状に形成され、かつ内部にバネを介して連続される多数のボール、単一の変形可能のコイルスプリングまたは可撓自在の合成樹脂などの可動体を移動自在に収納させて成ることを特徴とする前記（１）記載の足裏殺菌装置。
【発明の効果】
【００１１】
本発明によれば、家庭、病院、レストランなど必要な箇所に設置して、歩行の都度、靴、履物を上箱に乗せて重力を掛けることにより、短時間に簡便に足裏を殺菌消毒できると共に、両足の押下げ、解放による垂直方向の作用力を、垂直方向および水平方向など好みの方向に移動する円弧状変動機構によって、簡単、確実に殺菌エアゾールの噴霧を行わせることができる。
【００１２】
さらに、上箱に掛かる押下力は、下箱に装着される消毒液容器の噴霧装置の押圧子に対し、きわめて簡単な自由自在に変形可能に設置できる円弧状変動機構を介在させるだけで良いので、全体の構成が簡易であり、したがって、廉価量産が可能である。
【発明を実施するための最良の形態】
【００１３】
以下に、本発明を実施するための最良の形態を実施例により説明する。
【実施例】
【００１４】
図１から図４を参照しながら、本発明に係る足裏殺菌装置を説明する。
【００１５】
図２（ａ）は本願の足裏殺菌装置の外観を示す斜視図である。本除菌装置は、基本的には下箱１の１個と上箱２の２個を回転軸３で接合した構造となっている。そして、同図（ｂ）に示すように、本装置の使用者は両方の足をそれぞれ個別に除菌できる構造となっている。この装置は、右足と左足を片方ずつ乗せるのに適したものとするため、装置の真ん中より、右足側と左足側が別々に作動するようになっている。また、上箱２の足を載せる部分は、装置内部からの消毒液の噴霧が通過するように、網やパンチングメタルを貼り付けた構造や、棒材を渡した構造になっているものとする。
【００１６】
次に、図１および図３、図４を参照しながら、本除菌装置の内部構造を説明する。
【００１７】
本殺菌装置は、噴霧装置のついた消毒液容器などもそれぞれ右足側、左足側の両方に対称的に取り付けられている。４は除菌するための消毒液が入った消毒液容器、５は該容器の先端部に設置された噴霧装置であり、その頂上部の押圧子５ａを押すことにより内部の消毒液が霧状になってそのノズル６から噴出される。上記消毒液容器４は、下箱１にバンドで固定してもよく、また下箱１に設けられた突起などにはめ込む構造で固定してもよい。この場合、噴霧装置５のノズル６が所定の方向に向くように設置する必要がある。そして、下箱１に対して、消費済の場合は、他の新品を取替交換可能に下箱１に開閉蓋などを介して取外挿入できるようにする。
【００１８】
噴霧装置５は、消毒液容器４と一体に構成され、所謂、エアゾール缶として知られるものであり、噴霧装置５の先端にバネを内蔵した押圧子５ａを備え、この押圧子５ａのバネに抗して押圧することにより、噴霧装置５のノズル６より消毒液が噴霧状に靴裏ないし足裏に噴射される。
【００１９】
そして、上記消毒液は、例えば人間や動物に害が無く、かつ環境を汚染しない殺菌及び消臭性のある水液が考えられる。
【００２０】
７は、上箱２の底部裏側に突設した突起片、８は、該突起片７の先端が衝接する円弧状変動機構Ａの上側の受圧部に相当する垂直部であって、この垂直部８に垂直方向に摺動するピストン部材９を臨ませ、突起片７の回転軸３を中心として回動する上箱２の回動運動を垂直方向の上下動としてピストン部材９の頂部９ａを摺動させることができるようになっている。そして、この円弧状変動機構Ａは上記垂直部８に続いて、屈曲した円弧状部１０を有し、さらにこの円弧状部１０に続いて押圧部に相当する水平部１１を設けてあり、この水平部１１には、押圧スプリング機能のバネ１２を介在させた押込片１３を内蔵し、この押込片１３の押込力によって下箱１内に装着した消毒液容器４の押圧子５ａを押圧し、噴霧装置５のノズル６を開いて消毒液を噴霧させることができる。
【００２１】
処で、前記円弧状変動機構Ａは、全体が断面丸形、角形など好みの形状の筒体で形成され、必要箇所に支持体１４を介して下箱１内に固定されており、また円弧状部１０内には図３（ａ），（ｂ）では多数の同一同形のボール１５Ａを必要数連続して挿通させてあり、また図４（ａ）では可動体Ｍとして、引張コイルスプリング機能を有する可撓自在の単一のコイルスプリング１５Ｂを介在させたり、さらに図４（ｂ）では、柱状の可撓自在の合成樹脂１５Ｃを挿入させてある。
【００２２】
之等のボール１５Ａ、コイルスプリング１５Ｂおよび合成樹脂１５Ｃは、円弧状変動機構Ａの垂直部８に設けたピストン部材９と、水平部１１に設けた押込片１７との間に隙間なく収容され、ピストン部材９の上下動運動に連動して円弧状部１０内において、抵抗なく自由に変動でき、水平部１１内の押込片１３に、その力を伝達して押込片１３をバネ１２に抗して押圧子５ａを押圧したり、またピストン部材４への押下が解放されれば、主にバネ１２の復元力により再び逆方向に摺動して押圧子５ａへの押圧は解放され、ノズル６は閉じるものである。
【００２３】
なお、上箱２に対しては下箱１内に設けた復元用のスプリング１６により弾性的に支持されているので、足踏みにより上箱２が下降しても足踏みを解放すればスプリング１６の復元力により原状に復帰できる。
【００２４】
処で、可動体Ｍは、上述の構成の他、封入される水、油などの液体による水圧、油圧などで構成してピストン部材９の押下に基づく力を円弧状部１０内で移動させて押込片１３を作動させ、押圧子５ａを押圧して噴霧装置５を働かせることができる。
【００２５】
また、本実施例では下箱１に対し、上箱２は回転軸３により円弧可傾変動を行わせているが、上箱２を下箱１に対して案内溝などを設けて、上下方向に変動させるように構成しても良い。
【００２６】
つぎに、本発明の使用状態の動作について、図３（ａ），（ｂ）を参照しながら説明する。
【００２７】
図３（ｂ）は不使用の状態を示し、下箱１と上箱２とはスプリング１６の反発力で所定の間隔Ｌを保持しており、この状態では噴霧装置５は不作動である。
【００２８】
つぎに、上箱２上に使用者が足を載せると、上箱２は回転軸３を中心に下方に回動し、突起片７が下降し、円弧状変動機構Ａを働かせて、先端の押込片１３が押圧子５ａを押圧し、ノズル６より噴霧液を出し足裏に向けて散布される（図３（ａ）参照）。これにより除菌消毒される。
【００２９】
所望時間後、足の押圧を解放すれば、スプリング１６の復元力で上箱２は上行し、原状に復してノズル６から消毒液の散布は終了する。
【００３０】
また、噴霧液が上箱２の足裏の所定位置に到達するような角度で噴射するために、消毒液容器４に帯を付け、帯の一箇所に突起を出し、更に容器を格納するソケットに突起の入る穴を開け、その帯の突起がソケットの穴に入ると噴霧液が足裏に噴射される角度に設定されるような構造であってもよい。
【００３１】
上記したように、本願の足裏殺菌装置を用いれば外出から戻った際などに、単に足を該装置に載せるだけで非常に短時間に、しかも簡便に足裏を殺菌することができる。また、犬猫の飼育用ペットの足裏も同様に殺菌消毒させることもできる。
【図面の簡単な説明】
【００３２】
【図１】本発明の係る足裏殺菌装置の一実施例を示す、上箱と下箱とを分離して示す内部構造の斜視図
【図２】（ａ）は図１の全体の外観を示す斜視図、（ｂ）は片足の靴底を消毒する状態を示す全体の斜面図
【図３】図１の使用状態を示す断面図で、（ａ）は使用状態を、（ｂ）は未使用状態を夫々示す
【図４】弧状変動機構を変形させた二例を示し、（ａ）はコイルスプリング方式とした場合、（ｂ）は可撓合成樹脂方式とした場合を夫々示す全体の断面図
【符号の説明】
【００３３】
１    下箱
２    上箱
３    回転軸
４    消毒液容器
５    噴霧装置
５ａ  押圧子
６    ノズル
７    突起片
８    垂直部
９    ピストン部材
９ａ  頂部
１０    円弧状部
１１    水平部
１２    バネ
１３    押込片
１４    支持体
１５Ａ  ボール
１５Ｂ  コイルスプリング
１５Ｃ  合成樹脂
１６    スプリング
１７    押込片
Ａ    円弧状変動機構
Ｌ    間隔
Ｍ    可動体
【図１】
2009022561.tif 000003
【図２】
2009022561.tif 000004
【図３】
2009022561.tif 000005
【図４】
2009022561.tif 000006